(57)【特許請求の範囲】
【請求項１】
自立性のない合成樹脂製のフィルム、シート類を、シワや弛みが発生しないように展張支持するための、四角形の内枠と外枠とを有する展張支持治具であって、内枠は、その四辺部の外側の面側に、前面から遠ざかるにしたがい次第に外側に拡がる曲面を有し、所定の距離だけ前面から遠ざかった位置で、枠体の内側方向に曲面から折れ曲がる一面を有する展張用の突起部を持つとともに、四隅の外側に、各辺部の前面から切り欠き部が設けられており、外枠は、弾力性をもつ材質からなり、伸縮して、その四辺部の内側の面にて、対応する内枠の各辺部の外側の面とで、フィルム、シートを挾みこれを支持するもので、四隅には、内枠の切り欠き部とフィルム、シート類を介して嵌合するリップを設けており、内枠の前面および展張用の突起部を含む側面の一部を覆うようにフィルム、シート類を内枠に被せて、フィルム、シート類の枠体の四隅の余剰分を、四隅のリップにて内枠に挾み込みながら、内枠の突起部の曲面に沿い、前面から次第に遠ざかるように外枠を移動してフィルム、シート類を介して内枠に嵌め込むことによりフィルム、シート類が展張されるとともに、展張されたフィルム、シート類の枠体の四辺に沿う端部は、前記所定の距離、内枠の前面から遠ざかった位置で枠体の内側に折り曲げられ、且つ、内枠と外枠との間に挟まれ固定されることを特徴とするフィルム、シート類の展張支持治具。
【請求項２】
請求項１の内枠の前面に断面がＲ状の突起部を設けていることを特徴とするフィルム、シート類の展張支持治具。
【請求項３】
フィルムシート類を内枠の内側の領域において前面側から押して、フィルム、シート全体に圧力を与える弾力性のある突起を、四辺に沿い、内側に設けた四角形の外装枠を設けていることを特徴とする請求項１ないし２記載のフィルム、シート類の展張支持治具。
【請求項４】
フィルム、シートを展張した内枠の前面に、四角形の外装枠を設け、且つ、その一面の周辺を外装枠の前面部の内側の面で固定され、内枠の内側の領域全体を覆う自立性のある板（前板）を設けており、内枠に張られたフィルム、シート類を内枠の内側の内の領域において前面側から押してフィルム全体に圧力を与える弾力性のある突起を、前板の周辺部に設けていることを特徴とする請求項１ないし２に記載のフィルム、シート類の展張支持治具。
【請求項５】
請求項３ないし４の外装枠は、フィルム、シート類の伸縮に対応して外装枠の４辺が微動して、フィルム、シート類を展張する展張力を調節するように、外装枠の四隅の前面部に、枠の内側から外に向かう切れ込みを設けていることを特徴とするフィルム、シート類の展張支持治具。
【請求項６】
請求項１ないし５記載のフィルム、シート類がプロジェクションスクリーン用のフィルムないしシートであることを特徴とするフィルム、シート類の展張支持治具。
【発明の詳細な説明】
【０００１】
【発明の属する技術分野】
本発明は，自立性のないフィルム、シート類を枠体に支持する治具に関し、特に、テレビジョン等のプロジェクションスクリーン用のフィルムないしシートを展張支持する治具に関する。
【０００２】
【従来の技術】
テレビジョン等のプロジェクションスクリーン用のフレネルレンズにおいては、従来は、同心円状にレンズを形成したサーキュラーフレネルレンズが主体で、自立性のある比較的厚いシートを用い、熱プレスによる成形やシート上に紫外線硬化型樹脂を用いてレンズ形状を設けることにより生産されていた。
近年は、レンズの光学的損失などによる画質の低下を少なくするためと生産性向上のための連続生産の要望から、薄いフィルム上にレンズを形成して薄板化したレンズシートが製作されるようになってきた。
例えば、レンズを直線状に平行に並列して形成したリニアフレネルレンズは、形状が直線状になっているため、その作製には、グラビア印刷機を応用した機械により、連続した薄いフィルム上に紫外線硬化性の樹脂を所定の形状に転写して、紫外線により硬化させて、リニアフレネルレンズを形成する紫外線硬化法等の方法が採られていた。
このようにして作製される薄くて自立性に乏しいフィルムレンズをプロジェクションスクリーンとして使用する際の展張支持方法としては、剛性のある板、例えばレンチキュラーレンズシートに抱き合わせる第一の方法、フィルム自体を枠体やキャビネット等の支持物に支持しながら張る第二の方法が知られているが、シワ、弛みの発生確率を考慮した生産性の面や一層の薄板化という面からは第二の方法の方が優れている。
しかし、フィルム自体を枠体やキャビネット等の支持物に支持しながら張る第二の方法の場合、確実な固定は難しく、また、フィルムに対してシワを発生させずに、テンション（張力）を掛け続けることは難しく、固定にもかなりコツが必要であった。即ち、この第二の方法おいては、レンズフィルムに常にテンション（張力）を掛け続け、且つ、レンズフィルム全体をシワや弛みが発生しないように、簡単に保持できるようにすることが求められていた。
【０００３】
【発明が解決しようとする課題】
上記のように、プロジェクションスクリーン用に連続生産される自立性のない薄いリニアフレネルレンズフィルムに対しては、フィルム自体を枠体やキャビネット等の支持体に支持しながら張る展張の際に、確実な固定ができて、フィルムに対してシワや弛みを発生させずに、テンション（張力）をかけ続けることができ、且つ、固定にはコツを必要としない簡単な、展張支持治具が求められていた。
本発明は、このような状況のもと、プロジェクションスクリーン用のフィルム、シート類に対し、比較的簡単な構造で、且つ、フィルム、シート類に対してシワや弛みを発生させずに、確実な固定ができて、テンション（張力）を掛け続けることができる展張支持治具を提供しようとするものである。
【０００４】
【課題を解決するための手段】
本発明のフィルム、シート類の展張支持治具は、自立性のない合成樹脂製のフィルム、シート類を、シワや弛みが発生しないように展張支持するための、四角形の内枠と外枠とを有する展張支持治具であって、内枠は、その四辺部の外側の面側に、前面から遠ざかるにしたがい次第に外側に拡がる曲面を有し、所定の距離だけ前面から遠ざかった位置で、枠体の内側方向に曲面から折れ曲がる一面を有する展張用の突起部を持つとともに、四隅の外側に、各辺部の前面から切り欠き部が設けられており、外枠は、弾力性をもつ材質からなり、伸縮して、その四辺部の内側の面にて、対応する内枠の各辺部の外側の面とで、フィルム、シートを挾みこれを支持するもので、四隅には、内枠の切り欠き部とフィルム、シート類を介して嵌合するリップを設けており、内枠の前面および展張用の突起部を含む側面の一部を覆うようにフィルム、シート類を内枠に被せて、フィルム、シート類の枠体の四隅の余剰分を、四隅のリップにて内枠に挾み込みながら、内枠の突起部の曲面に沿い、前面から次第に遠ざかるように外枠を移動してフィルム、シート類を介して内枠に嵌め込むことによりフィルム、シート類が展張されるとともに、展張されたフィルム、シート類の枠体の四辺に沿う端部は、前記所定の距離、内枠の前面から遠ざかった位置で枠体の内側に折り曲げられ、且つ、内枠と外枠との間に挟まれ固定されることを特徴とするものである。
そして、上記の内枠の前面に断面がＲ状の突起部を設けていることを特徴とするものである。
また、上記において、フィルムシート類を内枠の内側の領域において前面側から押して、フィルム、シート全体に圧力を与える弾力性のある突起を、四辺に沿い、内側に設けた四角形の外装枠を設けていることを特徴とするものである。
そしてまた、上記において、フィルム、シートを展張した内枠の前面に、四角形の外装枠を設け、且つ、その一面の周辺を外装枠の前面部の内側の面で固定され、内枠の内側の領域全体を覆う自立性のある板（前板）を設けており、内枠に張られたフィルム、シート類を内枠の内側の内の領域において前面側から押してフィルム全体に圧力を与える弾力性のある突起を、前板の周辺部に設けていることを特徴とするものである。
更に、上記の外装枠は、フィルム、シート類の伸縮に対応して外装枠の４辺が微動して、フィルム、シート類を展張する展張力を調節するように、外装枠の四隅の前面部に、枠の内側から外に向かう切れ込みを設けていることを特徴とするものである。
また、上記のフィルム、シート類がプロジェクションスクリーン用のフィルムないしシートであることを特徴とするものである。
尚、ここでは、プロジェクションスクリーン用のフィルムないしシートとは、その面にレンズを形成してあるものと、していないものの両方を含む。
また、Ｒ状とは円弧状を意味する。
【０００５】
【作用】
本発明のフィルム、シート類の展張支持治具は、上記のように構成することにより、フィルム、シート類に対し、比較的簡単な構造で、且つ、フィルム、シート類に対してシワや弛みを発生させずに、確実な固定ができて、テンション（張力）を掛け続けることができる展張部材の提供を可能にしている。
詳しくは、内枠は、その四辺部の外側の面側に、前面から遠ざかるにしたがい次第に外側に拡がる曲面を有し、所定の距離だけ前面から遠ざかった位置で、枠体の内側方向に曲面から折れ曲がる一面を有する展張用の突起部を持つとともに、四隅の外側に、各辺部の前面から切り欠き部が設けられており、外枠は、弾力性をもつ材質からなり、伸縮して、その四辺部の内側の面にて、対応する内枠の各辺部の外側の面とで、フィルム、シートを挾みこれを支持するもので、四隅には、内枠の切り欠き部とフィルム、シート類を介して嵌合するリップを設けており、内枠の前面および展張用の突起部を含む側面の一部を覆うようにフィルム、シート類を内枠に被せて、フィルム、シート類の枠体の四隅の余剰分を、四隅のリップにて内枠に挾み込みながら、内枠の突起部の曲面に沿い、前面から次第に遠ざかるように外枠を移動してフィルム、シート類を介して内枠に嵌め込むことによりフィルム、シート類が展張されるとともに、展張されたフィルム、シート類の枠体の四辺に沿う端部は、前記所定の距離、内枠の前面から遠ざかった位置で枠体の内側に折り曲げられ、且つ、内枠と外枠との間に挟まれ固定されることにより、これを達成している。
即ち、外枠が弾力性のある材質からなり、伸縮できるため、外枠を内枠の突起部に嵌めながら、該突起部に沿わせて前面から次第に遠くすることにより、内枠の四辺方向にフィルム、シート類を展張することができるものとし、同時に枠体の四隅の余剰のフィルム、シート類を外枠に設けたリップにより、シワや弛みが発生しないように切り欠き部へ折り曲げることを可能としている。
また、内枠の前面に断面がＲ状の突起部を設けていることにより、展張の際にシワや弛みが発生しずらいものとしている。
更に、フィルムシート類を内枠の内側の領域において前面側から押し、フィルム、シート全体に圧力を与える弾力性のある突起を、四辺に沿い、内側に設けた四角形の外装枠を設けているをことにより、また、フィルム、シートを展張した内枠の前面に、四角形の外装枠を設け、且つ、その一面の周辺を外装枠の前面部の内側の面で固定され、内枠の内側の領域全体を覆う自立性のある板（前板）を設けており、内枠に張られたフィルム、シート類を内枠の内側の内の領域において前面側から押しながらフィルム全体に圧力を与える弾力性のある突起を前板の周辺部に設けていることにより、温度等の変化にも対応できるものとしている。この場合は、内枠に固定された外装枠を備えていることにより、見た目を良いものでき、外装枠を設けても全体を簡単な構造とできるものとしている。
特に、外装枠は、フィルム、シート類の伸縮に対応して外装枠の４辺が微動して、フィルム、シート類を展張する展張力を調節するように、外装枠の四隅の前面部に、枠の内側から外に向かう切れ込みを設けていることにより、温度等の変化によるフィルム、シート類の伸縮にも十分対応できるものとしている。
また、特に、フィルム、シート類がプロジェクションスクリーン用のフィルムないしシートの展張支持には有効である。
【０００６】
【実施例】
本発明のフィルム、シート類の展張支持治具の実施例を図にもとづいて説明する。
図１（ａ）は、本実施例のフィルム、シート類の展張支持治具を用いて展張支持を完了した後の状態を示した斜視図で、一部透視して示した図であり、図１（ｂ）は図１（ａ）のＡ３−Ａ４における断面図である。図２（ａ）は、図１（ａ）のＡ１方向から見た平面図であり、図２（ｂ）は、図２（ａ）のＢ１−Ｂ２における断面図である。
また、図３（ａ）は内枠の平面図であり、図３（ｂ）は図３（ａ）のＣ１−Ｃ２における断面図であり、図３（ｃ）は外枠の平面図である。  図１、図２、図３中、１００は展張支持治具、１１０はフィルム、１２０は内枠、１２３は突起部、１２３Ａは傾斜面（曲面）、１２３Ｂは面、１２４はＲ状の凸部、１２５は切り欠き部、１２５Ａ、１２５Ｂは面、１３０は外枠、１３３はリップである。
尚、図２（ａ）においては、分かり易くするため、外枠１３０の内側の側面を点線で示してある。
本実施例の展張支持治具１００は、四角形の内枠１２０と外枠１３０とを有する枠体に、自立性のない合成樹脂製のフィルム１１０からなるプロジェクションスクリーンをシワや弛みが発生しないように展張するための展張支持治具であるが、特に、用途はこれに限定されない。
【０００７】
本実施例の展張支持治具１００は、内枠１２０にフィルム１１０を被せた状態で内枠１２０の前面側から弾力性のある外枠１３０を嵌め込みながら、シワや弛みが生じないようにフィルム１１０を展張して固定するものである。
図３（ａ）に示すように、内枠１２０は、四角形の枠体で、図３（ｂ）や図１（ｂ）に示すように、その四辺部の外側の面に、前面に続き、前面から遠ざかるにしたがい次第に外側に拡がる傾斜面（曲面）１２３Ａを有し、所定の距離だけ前面から遠ざかった位置で、枠体の内側方向に傾斜面（曲面）１２３Ａから折れ曲がる一面１２３Ｂを有する展張用の突起部１２３を持ち、四隅の外側に、各辺部の前面から切り欠き部１２５が設けられている。
図３（ｂ）、図１（ｂ）に示すように、前面の最前部に断面がＲ状の凸部１２４を設けており、外枠１３０をフィルム１１０を介して前面から嵌める際にフィルムが折れ変形することがなく、シワや弛みの発生しずらいものとしている。
また、外枠１３０は、弾力性をもつ材質からなり、伸縮ができるもので、図３（ｃ）に示すように、四隅には内枠１２０の切り欠き部１２５とフィルム１１０を介して嵌合するリップ１３３を設けている。
外枠１３０の材質としては、ポリプロピレンを、内枠１２０の材質としては、硬質ポリ塩化ビニルを用いたが、これに限定はされない。
内枠１２０の材質としては、他にはアルミ等の金属も用いることが出来、外枠１３０の材質としては、他にポリエチレン等が挙げられる。
尚、図１（ａ）のＡ３−Ａ４に相当する位置における内枠の断面形状としては、図１（ｂ）のような形状の他に、図５（ａ）、図５（ｂ）に示す形状のものも挙げられる。尚、図５は、分かり易くするため、フィルム１１０を展張した状態を示している。
図５（ａ）に示すものは、前面側にＲ状の凸部１２４Ａを設けており、突起部１２３の傾斜面１２３Ａまでは折れ曲がらないように、Ｒ状の凸部１２４Ａと傾斜面１２３Ａを設けてあり、本実施例の場合とほぼ同じ効果を有する。
図５（ｂ）に示すものは、前面が平面１２４Ｈであり、角部１２３Ｃにより折れ変形するため、本実施例の場合や、図５（ａ）に示す形状の内枠に比べ、シワや弛みが発生し易い。
【０００８】
次に、実施例の展張治具１００にてフィルム１１０を展張する動作を図４に基づいて簡単に説明しておく。尚、図４は、図２（ａ）のＢ１−Ｂ２に相当する位置での断面の状態を示している。
先ず、フィルム１１０を内枠１２０の四辺部を覆うように被せ、外枠１３０を次第に近づけ、位置合わせしておく。（図４（ａ））
この状態では、フィルム１１０は固定されていない。フィルム１１０は、各辺部の側面の突起部１２３全体を覆うような大きさとしておく。
次いで、外枠１３０の四辺の内側を、内枠１２０の突起部１２３に嵌め込み、対応する各辺の突起部の傾斜面（曲面）１２３Ａに沿い、内枠１２０の前面側から、次第に遠ざけるようにして弾力性をもつ外枠１３０の内径を広げていく。（図４（ｂ））
この際、フィルム１１０は内枠の突起部１２３の傾斜面１２３Ａと外枠１３０の内側部とが密着するようにして外枠１３０の内径が広げられるため、枠体の４辺の方向にフィルム１１０は徐々に引張られ展張が行われることとなるが、同時にフィルム１１０の枠体の四隅の部分は、内枠１２０の切り欠き部１２５と外枠１３０のリップ１３３により挟まれ、各辺に直交する面１２５Ａ、１２５Ｂ（図３（ａ）に示す）に接するように折り曲げられる。
この為、図４（ｂ）の状態でも力を加えなければ外枠１３０がはずれることはないが、更に、前面から外枠を遠ざけ、各辺の突起部１２３を通過させ、各辺のフィルム１１０を面１２３Ｂに沿い折り曲げた状態で固定する。（図４（ｃ））
本実施例の場合は、この状態で、フィルム１１０は外枠１３０の内側の面と内枠の外側の面の間にもあるため、内枠１２０の切り欠き部１２５とリップ１３３との間における嵌合による固定とともに、展張後のフィルム１１０の固定を確実なものとしている。
【０００９】
本実施例の変形例としては、図１に示す本実施例の展張支持治具の前面を覆い見た目を良く見せるための外装枠１７０を内枠１２０に固定して設け、且つ、外装枠１７０に、上記実施例治具１００により展張されたフィルム１１０を更に押し、フィルム全体に圧力をかける展張用の突起部１８０を外装枠１７０の四辺に沿い、内枠側の面に固定して設けても良い。
図６（ａ）は、外装枠１７０を、図１に示す実施例の治具１００によるフィルム１１０の展張状態に付け加えた図であり、図６（ａ）は、図２（ａ）のＢ１−Ｂ２に相当する位置での断面図であり、図６（ｂ）は図１（ａ）のＡ１の方向からみた平面図である。
内枠１２０の材質としてはポリプロピレンを用いたが、展張する力の度合いに応じてより硬いポリ塩化ビニルやアルミ等の金属を用いても良い。
展張用の突起部１８０は、弾力性のある、例えば硬質のシリコン樹脂のようなものからなり、フィルム１１０と接する側をＲ状として、フィルム１１０がすべり易くなっている。
この為、外装枠１７０を内枠１２０に固定して、展張用の突起部１８０の先端側がフィルム１１０を押し、上記実施例の治具１００にて展張されたフィルムを更に張るが、展張用の突起部１８０は、弾力性のあるため、フィルム１１０が温度等により伸縮しても、これに対応できるものとしている。
外装枠１７０は、フィルム１１０の伸縮に対応して外装枠１７０の４辺が微動して、フィルム１１０を展張する展張力を調節するように、外装枠１７０の四隅の前面部に、枠の内側から外に向かう切り込み１７５を設けており、温度等の変化によるフィルム１１０伸縮にも十分対応できるものとしている。
【００１０】
また、別の変形例としては、図１に示す本実施例の展張支持治具の前面を覆い、フィルム、シートを展張した内枠の前面に、四角形の外装枠１７０Ａを設け、且つ、その一面の周辺を外装枠の前面部の内側の面で固定され、内枠の内側の領域全体を覆う自立性のある板（前板）１９０を設け、内枠１１０に張られたフィルム１１０を内枠１２０の内側の領域において前面側から押しながらフィルム１１０全体に圧力を与える弾力性のある突起を前板の周辺部に設けても良い。
図７は、この変形例の図２（ａ）のＢ１−Ｂ２に相当する位置での断面図である。
この変形例の場合も、外装枠１７０Ａには、その四隅に枠の内側から外に向かう切り込み設けておくと良い。
【００１１】
【効果】
本発明は、上記のように、簡単な構造で確実にフィルム、シート類の展張支持ができる、フィルム、シート類の展張支持治具の提供を可能とするものであり、サイズの大きいフィルム、シート類の展張支持にも対応できるフィルム、シート類の展張支持治具の提供を可能とするものである。
特に、テレビ用プロジェクションスクリーンに使用される、自立性のない薄いフィルムないしシートを展張する際に、展張支持を確実にできる簡単な治具の提供を可能にした。
【図面の簡単な説明】
【図１】実施例のフィルム、シート類の展張治具の斜視図
【図２】実施例のフィルム、シート類の展張治具の平面図および正面図
【図３】実施例の内枠および外枠を説明するための図
【図４】実施例のフィルム、シート類の展張治具の展張支持の動作を説明するための図
【図５】内枠の断面形状を説明するための図
【図６】変形例を説明するための図
【図７】別の変形例を説明するための図
【符号の説明】
１００                          展張支持治具
１１０                          フィルム
１２０                          内体
１２３                          突起部
１２３Ａ                        傾斜面
１２３Ｂ                        面
１２３Ｃ                        角部
１２４、１２４Ａ                Ｒ状の凸部
１２５                          切り欠き部
１２５Ａ、１２５Ｂ              面
１３０                          外枠
１３３                          リップ
１７０、１７０Ａ                外装枠
１７３                          接着部
１７５                          切り欠き部
１８０                          展張用の突起部
１９０                          自立性のある板（前板）
【図１】
0003605480.tif 000002
【図２】
0003605480.tif 000003
【図３】
0003605480.tif 000004
【図４】
0003605480.tif 000005
【図５】
0003605480.tif 000006
【図６】
0003605480.tif 000007
【図７】
0003605480.tif 000008